(57)【要約】  【課題】  再生時におけるユーザの好みに合った曲データを自動的に選択して再生することを可能にするデータ処理方法を提供する。  【解決手段】  スキップ指示の入力パターンが所定の条件を満たすと、スキップされずに再生された曲データ間の共通の属性を特定し、その属性に対応付けた曲データを自動的に選択して再生する。  【選択図】  図５
2006260644.tif 000002
【特許請求の範囲】
【請求項１】
属性データが対応付けられたコンテンツデータのうち、再生するコンテンツデータを順に選択するデータ処理方法であって、
指定された前記属性データが対応付けられたコンテンツデータのなかから、再生する前記コンテンツデータを所定のパターンで順に選択する第１の工程と、
前記第１の工程で開始した前記コンテンツデータの前記再生をスキップするスキップ指示を入力する第２の工程と、
前記第１の工程による前記選択と前記第２の工程で入力した前記スキップ指示とを基に、前記スキップ指示を受けずに再生された複数の前記コンテンツデータの間で共通する前記属性データを特定する第３の工程と、
前記第３の工程で特定した前記属性データを前記指定する第４の工程と
を有するデータ処理方法。
【請求項２】
前記第２の工程における前記スキップ指示の入力パターンが所定の条件を満たしたか否かを判断する第５の工程と、
前記第５の工程で前記所定の条件を満たしたと判断すると、前記第１の工程で前記選択に用いている前記指定された前記属性データを変更する第６の工程と
をさらに有する請求項１に記載のデータ処理方法。
【請求項３】
予め決められた複数の属性項目の各々に関する属性を示す属性データが各コンテンツデータに対応付けられており、
前記第３の工程は、前記共通する属性データを特定できない場合に、前記第１の工程で前記選択に用いている前記指定された前記属性データの前記属性項目とは異なる前記属性項目を特定し、当該特定した属性項目に関する前記属性データを前記特定する
請求項１に記載のデータ処理方法。
【請求項４】
前記第６の工程は、前記複数のコンテンツデータの全て、あるいは当該複数のコンテンツデータのうち予め決められたコンテンツデータを前記指定し、
前記第１の工程は、前記第６の工程で前記指定された複数のコンテンツデータのなかから、前記コンテンツデータをシャッフルパターンあるいは順再生パターンで順に選択する
請求項２に記載のデータ処理方法。
【請求項５】
前記複数のコンテンツデータを前記属性データを基に分類した複数のグループが規定されている場合に、
前記第１の工程は、指定された前記グループに属する前記コンテンツデータのなかから、前記コンテンツデータを所定のパターンで順に選択し、
前記指定された前記グループに属する前記コンテンツデータの前記再生がスキップされた回数をカウントする第７の工程と、
前記第７の工程で前記カウントした値が、所定のしきい値を超えると、当該グループの優先度を下げる第８の工程と
を有し、
前記第３の工程は、前記優先度を基に、前記属性データを特定する
請求項１に記載のデータ処理方法。
【請求項６】
前記複数のコンテンツデータの各々について、当該コンテンツデータの再生がスキップされた回数をカウントする第９の工程と、
前記第９の工程でカウントした回数が所定の条件を満たすと、当該コンテンツデータを低頻度再生グループに移動する第１０の工程と
をさらに有する請求項１に記載のデータ処理方法。
【請求項７】
前記属性データは、前記コンテンツデータに関する時の属性を示し、
カレント時刻データが示す時刻に対応した時を示す前記属性データを前記指定する第１１の工程
をさらに有する請求項１に記載のデータ処理方法。
【請求項８】
属性データが対応付けられたコンテンツデータのうち、再生するコンテンツデータを順に選択して再生する電子機器であって、
指定された前記属性データが対応付けられたコンテンツデータのなかから、再生する前記コンテンツデータを所定のパターンで順に選択する選択手段と、
前記選択手段が選択した前記コンテンツデータを再生する再生手段と、
前記再生手段が開始した前記コンテンツデータの前記再生をスキップするスキップ指示を入力する操作部と、
前記再生手段による前記再生と前記操作部が入力した前記スキップ指示とを基に、前記スキップ指示を受けずに再生された複数の前記コンテンツデータの間で共通する前記属性データを特定し、当該特定した前記属性データを前記選択手段に前記指定する特定手段と
を有する電子機器。
【請求項９】
属性データが対応付けられたコンテンツデータのうち、再生するコンテンツデータを順に選択するコンピュータが実行するプログラムであって、
指定された前記属性データが対応付けられたコンテンツデータのなかから、再生する前記コンテンツデータを所定のパターンで順に選択する第１の手順と、
前記第１の手順で開始した前記コンテンツデータの前記再生をスキップするスキップ指示を入力する第２の手順と、
前記第１の手順による前記選択と前記第２の手順で入力した前記スキップ指示とを基に、前記スキップ指示を受けずに再生された複数の前記コンテンツデータの間で共通する前記属性データを特定する第３の手順と、
前記第３の手順で特定した前記属性データを前記指定する第４の手順と
を有するプログラム。
【請求項１０】
属性データが対応付けられたコンテンツデータのうち、再生するコンテンツデータを順に選択するコンピュータが実行するプログラムを記録する記録媒体であって、
指定された前記属性データが対応付けられたコンテンツデータのなかから、再生する前記コンテンツデータを所定のパターンで順に選択する第１の手順と、
前記第１の手順で開始した前記コンテンツデータの前記再生をスキップするスキップ指示を入力する第２の手順と、
前記第１の手順による前記選択と前記第２の手順で入力した前記スキップ指示とを基に、前記スキップ指示を受けずに再生された複数の前記コンテンツデータの間で共通する前記属性データを特定する第３の手順と、
前記第３の手順で特定した前記属性データを前記指定する第４の手順と
を有するプログラムを記録した記録媒体。
【発明の詳細な説明】
【技術分野】
【０００１】
本発明は、コンテンツデータを順に選択して再生するためのデータ処理方法、電子機器、プログラムおよび記録媒体に関する。
【背景技術】
【０００２】
例えば、近年、ＨＤＤ(Hard Disk Drive)などの記録メディアの大容量化、小型化、並びに曲データ（オーディオデータ）の圧縮技術の発達により、携帯型再生装置やパーソナルコンピュータなどの電子機器内の記録メディアに膨大な数の曲データを記憶できる。
このような電子機器では、例えば、ＨＤＤに記憶された曲データを機器が自動的に選択して再生する機能が備えられている。
【特許文献１】特開２００４−５４０２３号公報
【発明の開示】
【発明が解決しようとする課題】
【０００３】
しかしながら、上述した電子機器では、ＨＤＤ内にはユーザが既に興味を失った多数の曲データが記憶されていることが多く、ＨＤＤに記憶された膨大な数の曲データを機器が自動的に再生すると、ユーザが興味を持った曲データが頻繁に再生されてしまう。
【０００４】
本発明は上述した従来技術の問題点を解決するために、ユーザの好みに合ったコンテンツデータを自動的に選択再生することを可能にするデータ処理方法、電子機器、プログラムおよび記録媒体を提供することを目的とする。
【課題を解決するための手段】
【０００５】
上述した従来技術の問題点を解決し、上述した目的を達成するため、第１の観点の発明のデータ処理方法は、属性データが対応付けられたコンテンツデータのうち、再生するコンテンツデータを順に選択するデータ処理方法であって、指定された前記属性データが対応付けられたコンテンツデータのなかから、再生する前記コンテンツデータを所定のパターンで順に選択する第１の工程と、前記第１の工程で開始した前記コンテンツデータの前記再生をスキップするスキップ指示を入力する第２の工程と、前記第１の工程による前記選択と前記第２の工程で入力した前記スキップ指示とを基に、前記スキップ指示を受けずに再生された複数の前記コンテンツデータの間で共通する前記属性データを特定する第３の工程と、前記第３の工程で特定した前記属性データを前記指定する第４の工程とを有する。
【０００６】
第２の観点の発明の電子機器は、属性データが対応付けられたコンテンツデータのうち、再生するコンテンツデータを順に選択して再生する電子機器であって、指定された前記属性データが対応付けられたコンテンツデータのなかから、再生する前記コンテンツデータを所定のパターンで順に選択する選択手段と、前記選択手段が選択した前記コンテンツデータを再生する再生手段と、前記再生手段が開始した前記コンテンツデータの前記再生をスキップするスキップ指示を入力する操作部と、前記再生手段による前記再生と前記操作部が入力した前記スキップ指示とを基に、前記スキップ指示を受けずに再生された複数の前記コンテンツデータの間で共通する前記属性データを特定し、当該特定した前記属性データを前記選択手段に前記指定する特定手段とを有する。
【０００７】
第２の観点の発明の電子機器の作用は以下のようになる。
選択手段が、指定された前記属性データが対応付けられた曲データのなかから、再生する前記曲データを所定のパターンで順に選択する。
そして、再生手段が、前記選択手段が選択した前記コンテンツデータを再生する。
また、操作部が、前記再生手段が開始した前記コンテンツデータの前記再生をスキップするスキップ指示を入力する。
そして、特定手段が、前記再生手段による前記再生と前記操作部が入力した前記スキップ指示とを基に、前記スキップ指示を受けずに再生された複数の前記コンテンツデータの間で共通する前記属性データを特定し、当該特定した前記属性データを前記選択手段に前記指定する。
【０００８】
第３の観点の発明のプログラムは、属性データが対応付けられたコンテンツデータのうち、再生するコンテンツデータを順に選択するコンピュータが実行するプログラムであって、指定された前記属性データが対応付けられたコンテンツデータのなかから、再生する前記コンテンツデータを所定のパターンで順に選択する第１の手順と、前記第１の手順で開始した前記コンテンツデータの前記再生をスキップするスキップ指示を入力する第２の手順と、前記第１の手順による前記選択と前記第２の手順で入力した前記スキップ指示とを基に、前記スキップ指示を受けずに再生された複数の前記コンテンツデータの間で共通する前記属性データを特定する第３の手順と、前記第３の手順で特定した前記属性データを前記指定する第４の手順とを有する。
【０００９】
第４の観点の発明の記録媒体は、属性データが対応付けられたコンテンツデータのうち、再生するコンテンツデータを順に選択するコンピュータが実行するプログラムを記録する記録媒体であって、指定された前記属性データが対応付けられたコンテンツデータのなかから、再生する前記コンテンツデータを所定のパターンで順に選択する第１の手順と、前記第１の手順で開始した前記コンテンツデータの前記再生をスキップするスキップ指示を入力する第２の手順と、前記第１の手順による前記選択と前記第２の手順で入力した前記スキップ指示とを基に、前記スキップ指示を受けずに再生された複数の前記コンテンツデータの間で共通する前記属性データを特定する第３の手順と、前記第３の手順で特定した前記属性データを前記指定する第４の手順とを有する。
【発明の効果】
【００１０】
本発明によれば、ユーザの好みに合ったコンテンツデータを再生のために自動的に選択することを可能にするデータ処理方法、電子機器、プログラムおよび記録媒体を提供することができる。
【発明を実施するための最良の形態】
【００１１】
以下、本発明の実施形態に係わるオーディオ再生装置（コンテンツ再生装置）について説明する。
なお、本実施形態においては、コンテンツデータの一例として曲データを例示する。
【００１２】
先ず、本実施形態の構成と本発明の構成との対応関係を説明する。
本実施形態の属性データが本発明の属性データの一例であり、本実施形態の曲データが本発明のコンテンツデータの一例である。
また、本実施形態のＳＫＩＰが本発明のキャンセルの一例である。
また、図４に示すステップＳＴ１７が本発明の第１の工程の一例であり、ステップＳＴ１１が本発明の第２、第５の工程の一例であり、ステップＳＴ１２が本発明の第３の工程の一例であり、ステップＳＴ１４が本発明の第４、第６の工程の一例である。
また、図７に示すステップＳＴ２６が本発明の第７の工程の一例であり、図８に示すステップＳＴ２９が本発明の第８の工程の一例であり、図７に示すステップＳＴ２７が本発明の第９の工程の一例であり、ステップＳＴ２８が本発明の第１０の工程の一例である。
【００１３】
また、図１に示すＣＰＵ１７が図４に示すステップＳＴ１７を実行することで本発明の選択手段および再生手段の一例が実現され、図３に示すＳＫＩＰ／ＢＳＫＩＰ操作部３９が本発明の操作部の一例であり、ＣＰＵ１７がステップＳＴ１２〜ＳＴ１６を実行することで本発明の特定手段の一例が実現される。
【００１４】
また、図１に示すプログラムＰＲＧが本発明のプログラムの一例である。
また、ＳＤＲＡＭ１２が本発明の記録媒体の一例であである。
本発明の記録媒体は、例えば、ＤＶＤ(Digital Versatile Disk)などのメディアであってもよい。
また、オーディオ再生装置１が本発明の電子機器の一例である。
【００１５】
図１は、本発明の実施形態に係わるオーディオ再生装置１の構成図である。
［オーディオ再生装置１］
図１に示すように、オーディオ再生装置１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit)１７、並びに無線インタフェース２１を有する。
ＵＳＢインタフェース１１、ＳＤＲＡＭ１２、ＨＤＤ１３、フラッシュメモリ１６、ＣＰＵ１７、並びに無線インタフェース２１は、例えば、データ線１０を介して接続されている。
【００１６】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１７】
ＨＤＤ１３は、圧縮された曲データ（音楽データ）を記憶する。
当該曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transform Acoustic Coding)３等で圧縮された約１万曲（コンパクトディスク７００枚分）の曲データを記憶可能である。
ＨＤＤ１３に記憶された１曲分の曲データ（以下、単に曲データとも記す）の各々には、図２に示すように、そのファイル名データ、アーティストデータ、アルバムデータ、曲名データ、ジャンルデータ、作曲者データ、リリース年データ、ファイル作成日時データ、機器転送日時データなどの属性項目に関する属性（属性データ）が付されており、これらが属性管理テーブルデータＰＴＡＢＬＥに記述されている。
本実施形態において、属性データは、貴族のＩＤ３タグに限らず、コンテンツデータのユニーク性を指定するものであれば特に限定されない。例えば、属性データは、曲のテンプなどを属性として示すものでもよい。
属性管理テーブルデータＰＴＡＢＬＥは、例えば、図１に示すＳＤＲＡＭ１２に記憶され、ＣＰＵ１７によって適宜更新される。
【００１８】
ＬＣＤパネル１４には、ＣＰＵ１７によって種々の画面が表示される。
ＬＣＤパネル１４に表示される主な画面としては、例えば、選曲画面、設定画面および再生画面があり、ユーザのキー操作に応じてこれらの画面が切り替わる（遷移する）。
入力デバイス１５は、再生指示、再生停止指示、フォアワード再生、リバース再生、スキップ（ＳＫＩＰ）、バックスキップ（ＢＳＫＩＰ）、再生モードなどをユーザが指定するためのボタンなどの操作手段である。
本実施形態では、上記再生モードとして、例えば、複数の曲データをランダムに選択して再生するシャッフルモードが規定されている。
【００１９】
フラッシュメモリ１６は、例えば、ＣＰＵ１７の動作を規定したプログラムＰＲＧを記憶する。
ＣＰＵ１７は、フラッシュメモリ１６から読み出したプログラムＰＲＧを基に、オーディオ再生装置１の動作を統括的に制御する。すなわち本実施形態で説明する処理を行う。
また、ＣＰＵ１７は、選択された曲データをＨＤＤ１３から読み出して復号し、これを無線インタフェース２１に出力する。
本実施形態では、ＣＰＵ１７は、ＨＤＤ１３に記憶されている複数の曲データの各々について、当該曲データが属する単数または複数のグループを規定している。
ＣＰＵ１７は、例えば、図２に示す属性項目、並びに属性を基に、ＨＤＤ１３に記憶されている曲データについて、その属性データを基に、複数のグループを規定し、そのデータをＳＤＲＡＭ１２に記憶する。
ＣＰＵ１７は、後述するように、所定の条件を満たすと、上記グループを更新し、それに応じて、ＳＤＲＡＭ１２のデータを更新する。
本実施形態では、ＣＰＵ１７は、上記グループとして、例えば、パーソナルコンピュータ３からＨＤＤ１３に所定期間内に転送された曲データを要素とする新着グループ、同じアーティスト・アルバムの曲データを要素とするグループ、ジャンル、リリース年、キーワードが同じ曲データを要素とするグループなどを規定する。
なお、本実施形態では、年月日などの時間の属性を基に規定されたグループを時間グループとも記す。
【００２０】
無線インタフェース２１は、ＣＰＵ１７から入力した復号された曲データを、電磁波によりヘッドフォン３１に送信する。
【００２１】
［ヘッドフォン３１］
図３に示すように、ヘッドフォン３１は、例えば、無線インタフェース３３、オーディオ出力回路３４、スピーカ３５、並びに操作部群３６を有する。
無線インタフェース３３、オーディオ出力回路３４および操作部群３６の間のデータ伝送は、データ線３２を介して行われる。
【００２２】
無線インタフェース３３は、図１に示すオーディオ再生装置１の無線インタフェース２１が送信した復号された曲データを無線により受信し、これをオーディオ出力回路３４に出力する。
オーディオ出力回路３４は、無線インタフェース３３から入力した曲データに応じたオーディオ信号をスピーカ３５に出力する。
スピーカ３５は、左スピーカおよび右スピーカを有し、オーディオ出力回路３４から入力したオーディオ信号を出力する。
操作部群３６は、例えば、音量操作部３７、ＦＷ／ＲＶ操作部３８およびＳＫＩＰ／ＢＳＫＩＰ操作部３９を有する。
音量操作部３７は、スピーカ３５が出力する音の音量を調整するために用いられる。
ＦＷ／ＲＶ操作部３８は、フォアワード再生、リバース再生を指定するために用いられる。
ＳＫＩＰ／ＢＳＫＩＰ操作部３９は、曲スキップ、曲バックスキップを指定するために用いられる。
【００２３】
以下、図１に示すオーディオ再生装置１のＣＰＵ１７の処理に基づいた自動選曲動作を説明する。
［第１動作例］
図４は、図１に示すオーディオ再生装置１の第１の自動再生動作を説明するためのフローチャートである。
ステップＳＴ１１：
図１に示すＣＰＵ１７は、図３に示すＳＫＩＰ／ＢＳＫＩＰ操作部３９の操作に応じて、無線インタフェース２１を介して入力したＳＫＩＰ操作信号を監視し、ＳＫＩＰ指示の入力パターンが所定の条件を満たすか否かを判断する。
当該条件は、例えば、フルシャッフルパターンで再生中に所定の回数のＳＫＩＰ指示が入力されたという条件、あるいは、ＳＫＩＰ指示の入力頻度が所定の基準値を超えているなどの条件である。当該条件は、例えば、フルシャッフルパターンの再生にユーザが飽きている場合に満たされるように規定される。
なお、本実施形態において、ＣＰＵ１７は、フルシャッフルパターンによる再生において、ＨＤＤ１３に記憶されている全ての曲データ、あるいは予め決められた曲データをランダムに選択して再生する。
また、ＣＰＵ１７は、例えば、曲データの再生を開始してから、その曲を所定の割合（例えば、１／４）以下しか再生していないとき、その曲のさびまで再生していないときなどにＳＫＩＰ指示が入力されたと判断する。
また、ＣＰＵ１７は、バックＳＫＩＰ指示が入力された場合には、その再生中の曲データについては、ＳＫＩＰ指示が入力されてないと判断する。
【００２４】
ステップＳＴ１２：
ＣＰＵ１７は、例えば、ステップＳＴ１１でＳＫＩＰ指示が入力された上記条件を満たすと判断する直前までに再生を開始した複数の曲データのうち、ＳＫＩＰ指示が入力されなかった複数の曲データ（ユーザによって聴かれた曲データ）の属性データＰＲＰを比較し、共通した属性データ、並びにその属性データの属性項目データを特定する。
ここで、共通の属性データが所定のアーティストである場合に、属性項目データはアーティストとなる。
【００２５】
ステップＳＴ１３：
ＣＰＵ１７は、ステップＳＴ１２で上記属性等を特定できたと判断するとステップＳＴ１４に進み、そうでない場合にはステップＳＴ１５に進む。
ステップＳＴ１４：
ＣＰＵ１７は、ステップＳＴ１２で特定した属性項目データが示す属性項目内の上記特定した属性データが示す属性に対応するグループを選択する。
当該グループは、例えば、所定の属性項目について同じ属性を示している複数の曲データを要素とする。
【００２６】
ステップＳＴ１５：
ＣＰＵ１７は、再生対象としているグループの選択に用いた属性項目とは異なる属性項目を所定の基準で選択し、当該選択した属性項目のなかから属性を所定の基準で選択する。    
ここで、ＣＰＵ１７は、例えば、ランダム、あるいはグループなどに付けられた優先度を基に上記属性項目と属性を選択する。
そして、ＣＰＵ１７は、上記選択した属性に対応したグループを選択する。
ステップＳＴ１６：
ＣＰＵ１７は、ステップＳＴ１４あるいはＳＴ１５で選択したグループを、シャッフル再生の対象として指定する。
ステップＳＴ１７：
ＣＰＵ１７は、ステップＳＴ１６で指定したグループに属する複数の曲データをシャッフルパターンで選択し、当該選択した曲データをＨＤＤ１３から読み出して復号する。
そして、ＣＰＵ１７は、上記復号した曲データを無線インタフェース２１に出力する。無線インタフェース２１は、ＣＰＵ１７から入力した曲データを、無線によりヘッドフォン３１に送信する。
ヘッドフォン３１は、スピーカ３５で上記曲データを受信し、その曲データにオーディオ信号をオーディオ出力回路３４を介してスピーカ３５に出力する。
【００２７】
図５は、図１に示すオーディオ再生装置１の第１の自動選曲動作を説明するための図である。
図５に示すように、図１に示すＣＰＵ１７は、例えば、フルシャッフルパターンで曲データを選択し、曲データ［１］，［２］，［３］，［４］を順に再生する。
そして、ＣＰＵ１７は曲データ［１］，［３］の再生中に、図３に示すＳＫＩＰ／ＢＳＫＩＰ操作部３９が操作されてＳＫＩＰ指示が入力され、予め決めたＳＫＩＰ指示入力パターンの条件を満たしたか否かを判断する（図４のステップＳＴ１１）。
当該条件は、例えば、フルシャッフルパターンで再生中に所定の回数のＳＫＩＰ指示が入力された場合などの条件である。
ＣＰＵ１７は上記条件を満たすと判断すると、上記フルシャッフルモードでの再生において、ＳＫＩＰ指示を受けずに再生された曲データの属性データを比較し、共通する属性データを特定する（図４のステップＳＴ１２）。
例えば、図５に示す場合では、ＣＰＵ１７は、曲データ［２］と［４］の属性データを比較して、例えばアーティストＡＲ４が共通する属性データであることを特定する。
【００２８】
そして、ＣＰＵ１７は、上記特定したアーティストＡＲ４を要素とするグループ（ＡＲ４）を選択し（図４のステップＳＴ１４）、これを再生対象として指定し（図４のステップＳＴ１６）、図６に示すグループＧ（ＡＲ４）を対象としたシャッフル再生を開始する。
すなわち、ＣＰＵ１７は、曲データ［４］の再生に続いて、上記特定した共通する属性データが対応付けられた曲データをＨＤＤ１３から読み出して再生する。
図５に示す例では、アーティストＡＲ４の曲データ［５］〜［１１］をＨＤＤ１３から読み出して再生する。
そして、図５に示すように、連続して再生した曲データ［１０］，［１１］の各々において、ＳＫＩＰ指示が入力されると、ＣＰＵ１７は、分類項目であるアーティストにおいて、アーティストＡＲ４以外のアーティストをランダムに選択する（図４のステップＳＴ１６）。
例えば、図５に示すように、ＣＰＵ１７は、アーティストＡＲ５を選択する。
そして、ＣＰＵ１７は、上記ランダムに選択したアーティストの曲データをシャッフルパターンで選択して再生する（図４のステップＳＴ１７）。
【００２９】
その後、ＣＰＵ１７は、曲データ［１２］，［１４］の再生中に、図３に示すＳＫＩＰ／ＢＳＫＩＰ操作部３９が操作されてＳＫＩＰ指示が入力され、予め決めたＳＫＩＰ指示入力パターンの条件を満たしたか否かを判断する。
当該条件は、例えば、所定のアーティストの曲データの再生中に所定の回数のＳＫＩＰ指示が入力された場合などの条件である。
ＳＫＩＰ／ＢＳＫＩＰ操作部３９は、上記条件を満たすと判断すると、アーティスト以外の属性項目を選択し、その選択した属性項目内でランダムに選択した属性の曲データを順に選択して再生する。
図５に示す例では、ＣＰＵ１７は、例えば、ジャンルが“ｐｏｐ”の曲データをＨＤＤ１３から順に読み出して再生する。
【００３０】
［第２動作例］
図７および図８は、図１に示すオーディオ再生装置１の第２の自動再生動作を説明するためのフローチャートである。
本動作例も、シャッフル再生における動作例である。
ステップＳＴ２１：
図１に示すＣＰＵ１７は、図１に示す入力デバイス１５からの操作信号、並びに無線インタフェース２１を介したヘッドフォン３１からの操作信号を監視し、何らかの操作信号を入力したと判断するとステップＳＴ２２に進む。
ステップＳＴ２２：
ＣＰＵ１７は、ステップＳＴ１１で入力した操作信号が、ＰＡＵＳＥ短押である場合には、スタンバイ動作を行い、ＰＡＵＳＥ長押しである場合には、電源オフ動作を行った後にステップＳＴ２１に戻る。
【００３１】
ステップＳＴ２３：
ＣＰＵ１７は、シャッフル再生の対象として、指定されたグループ内の全ての曲データを選択および再生したと判断するとステップＳＴ２４に進み、そうでない場合にはステップＳＴ２５に進む。
ステップＳＴ２４：
ＣＰＵ１７は、次のグループを再生対象として指定する。
このとき、ＣＰＵ１７は、例えば、前回の指定に用いた属性項目内の未指定の他の属性に対応付けられたグループを指定する。
また、ＣＰＵ１７は、グループに付された優先度を基に、未指定のグループのうち、優先度が最高のグループを指定してもよい。
【００３２】
ステップＳＴ２５：
ＣＰＵ１７は、無線インタフェース２１から入力した操作信号を基に、図３に示すＳＫＩＰ／ＢＳＫＩＰ操作部３９が操作されてＳＫＩＰ指示が入力されたか否かを判断する。
また、ＣＰＵ１７は、ＳＫＩＰ指示が入力されたと判断すると、上記操作信号を基に、上記ＳＫＩＰ指示が入力されたタイミングにおける、そのとき再生中の曲データが再生された割合を示す再生割合データＳ（ｓ）を特定する。
そして、ＣＰＵ１７は、上記特定した再生割合データＳ（ｓ）が所定のしきい値Ｒを超えているか否かを判断する。
ＣＰＵ１７は、Ｓ（ｓ）がしきい値Ｒを超えたと判断するとステップＳＴ２６に進み、そうでない場合にはステップＳＴ２１に戻る。
【００３３】
ステップＳＴ２６：
ＣＰＵ１７は、再生中のグループ内でのスキップ回数ｎに「１」を加算する。
また、ＣＰＵ１７は、ＳＫＩＰ指示が入力されたときに再生中の曲データが過去にスキップされた回数を示すデータＫ（ｎ）に「１」を加算する。
ステップＳＴ２７：
ＣＰＵ１７は、ＳＫＩＰ指示が入力されたときに再生中の曲データが過去に再生された回数を示すデータＫ（ｓ）と、ステップＳＴ２６で生成したデータＫ（ｎ）と、所定のしきい値Ｎｓとを基に、「Ｋ（ｎ）／Ｋ（ｓ）＞Ｎｓ」が成り立つか否かを判断し、成り立つと判断するとステップＳＴ２８に進み、そうでない場合にはステップＳＴ２９に進む。
【００３４】
ステップＳＴ２８：
ＣＰＵ１７は、再生中の曲データを、指定中のグループから予め決められた低優先度グループ（所定のグループ）に移動する。
ＣＰＵ１７は、グループ選択において、例えば、低優先度グループの選択優先度を、他のグループより低くしたり、非選択対象とする。
ステップＳＴ２９：
ＣＰＵ１７は、ｎが、グループ内でのスキップ最大回数Ｎ以下であると判断するとステップＳＴ３１に進み、そうでない場合にはステップＳＴ３０に進む。
ステップＳＴ３０：
ＣＰＵ１７は、指定中のグループの優先度を最下位に設定する。
そして、ＣＰＵ１７は、優先度が最も高い次のグループを選択および指定し、当該グループを対象としてシャッフル再生を行う。
また、ＣＰＵ１７は、ｎを０に初期化する。
【００３５】
ステップＳＴ３１：
ＣＰＵ１７は、オーディオ再生装置１内のタイマが示すカレント時刻と、予め保持する複数のグループに対応付けられた属性データが示す時とが一致したか否かを判断し、一致したと判断するとステップＳＴ３２に進み、そうでない場合にはステップＳＴ２１に戻る。
当該時は、例えば、クリスマス、正月、ユーザの誕生日などの時である。
ステップＳＴ３２：
ＣＰＵ１７は、ステップＳＴ３１で時刻が一致したと判断した属性データに対応付けられたグループを指定し、当該グループを対象としてシャッフル再生を行う。
なお、上述したような時を示す属性データが割り当てられたグループも、他のグループと同様に、ＳＫＩＰ頻度が高いと、低優先度グループになる。
【００３６】
以上説明したように、オーディオ再生装置１によれば、所定の再生モードで再生中にＳＫＩＰ指示の頻度が基準を超えた場合に、有効なＳＫＩＰ指示を受けずに再生された曲データの共通の属性を特定し、当該特定した属性の曲データを再生対象とするように切り換える。
すなわち、オーディオ再生装置１によれば、ユーザのＳＫＩＰ指示を基に、ユーザの好みの曲データの属性を装置が学習してユーザの好みに合った曲データを自動的に選択して再生できる。
また、オーディオ再生装置１によれば、曲データの属性を基にグループを規定し、そのグループを単位として上記切り換えを行うことで、ユーザの好みに合った多様なグループを規定し、ユーザの好みにより適合した自動再生を行うことができると共に、自動選曲に伴う装置の処理負担を小さくできる。
また、オーディオ再生装置１によれば、曲データのキーワードやリリース時を基に時間グループを規定することで、季節感に合った曲データの再生を実現できる。
【００３７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３８】
例えば、ＣＰＵ１７は、図８に示すステップＳＴ３１の処理を、例えば、毎回ではなく、ステップＳＴ３１の処理に所定回数達したときに１回実行するようにしてもよい。
また、ＣＰＵ１７は、ステップＳＴ３２に示す時間グループとして、例えば、図９に示すように、８０年代にリリースされた曲データを要素とするグループＧ（８０年代）を規定してもよい。
また、ＣＰＵ１７は、図１０に示すように、ジャンルが「Ｊｐｏｐ」，「Ｐｏｐ」の曲データを要素とするグループＧ（夜）、並びに、ジャンルが「Ｃｌａｓｓｉｃａｌ」の曲データを要素とするグループＧ（朝）を規定し、タイマが示すカレント時刻データとグループ（朝），（夜）に対応付けられた属性データを基に、午前中に所定の条件でグループＧ（朝）を選択し、夜に所定の条件でグループＧ（夜）を選択してもよい。
【００３９】
また、上述した実施形態では、ＣＰＵ１７は、選択したグループに属する複数の曲データをシャッフルパターンで順に選択して再生する場合を例示したが、選択したグループ内で例えば所定の順序（グループリストの先頭から末尾に向けての順序）で曲データを順に選択して再生してもよい。
【００４０】
また、ＣＰＵ１７は、スキップ頻度が少ない（所定頻度以下の）曲データを集めて新たなプレイリスト（グループ）を生成し、当該生成したプレイリストを他のプレイリストと同様に扱っても良い。
【００４１】
上述した実施形態では、オーディオ再生装置１において選曲および復号して曲データを生成し、これをヘッドフォン３１に送信した場合を例示したが、オーディオ再生装置１の代わりにオーディオ再生装置１と同じ機能を持つ家庭内サーバを用い、ヘッドフォン３１の代わりにスピーカを備えたクライアント（パーソナルコンピュータ等）を用いてもよい。
さらには、オーディオ再生装置１の代わりにインターネット上のサーバを用い、ヘッドフォン３１の代わりにスピーカを備えたパーソナルコンピュータを用いてもよい。
【産業上の利用可能性】
【００４２】
本発明は、曲データを順に選択して再生するためのデータ処理システムに適用可能である。
【図面の簡単な説明】
【００４３】
【図１】図１は、本発明の実施形態に係わるオーディオ再生装置の構成図である。
【図２】図２は、図１に示すＨＤＤに記憶されている曲データの属性および属性項目を説明するための図である。
【図３】図３は、図１に示すヘッドフォンを説明するための図である。
【図４】図４は、図１に示すオーディオ再生装置の第１の自動再生動作を説明するためのフローチャートである。
【図５】図５は、図４に示す自動再生動作の一例を説明するための図である。
【図６】図６は、図１に示すオーディオ再生装置が規定するグループを説明するための図である。
【図７】図７は、図１に示すオーディオ再生装置の第２の自動再生動作を説明するための図である。
【図８】図８は、図１に示すオーディオ再生装置の第２の自動再生動作を説明するための図７の続きの図である。
【図９】図９は、本発明の実施形態のグループのその他の例を説明するための図である。
【図１０】図１０は、本発明の実施形態のグループのその他の例を説明するための図である。
【符号の説明】
【００４４】
１…オーディオ再生装置、１１…ＵＳＢインタフェース、１２…ＳＤＲＡＭ、１３…ＨＤＤ、１４…ＬＣＤパネル、１５…入力デバイス、１７…ＣＰＵ、２１…無線インタフェース、３１…ヘッドフォン、３３…無線インタフェース、３４…オーディオ出力回路、３５…スピーカ、３６…操作部群、３７…音量操作部、３８…ＦＷ／ＲＶ操作部、３９…ＳＫＩＰ／ＢＳＫＩＰ操作部
【図１】
2006260644.tif 000003
【図２】
2006260644.tif 000004
【図３】
2006260644.tif 000005
【図４】
2006260644.tif 000006
【図５】
2006260644.tif 000007
【図６】
2006260644.tif 000008
【図７】
2006260644.tif 000009
【図８】
2006260644.tif 000010
【図９】
2006260644.tif 000011
【図１０】
2006260644.tif 000012